(57)【要約】【課題】コンピュータ装置を遠隔制御するための構成が、少ない数の機器構成で、かつ専用のソフトウェアを必要としない構成で実現できるようにする。【解決手段】二次元上の位置を指定する位置指定手段４３と、リモートコントロール信号を受信する受信手段３５と、受信手段が受信したリモートコントロール信号に基づいて、キーボード用のキー操作信号を出力するキーボード信号生成手段４０と、位置指定手段が出力する位置指定信号と、キーボード信号生成手段が出力するキー操作信号とを、汎用バスラインに出力させる接続手段３８と、位置指定手段と受信手段とキーボード信号生成手段と接続手段とを一体に納めた筐体とを備える。【選択図】      図５
2004246721.tif 000002
【特許請求の範囲】
【請求項１】
二次元上の位置を指定する位置指定手段と、
リモートコントロール信号を受信する受信手段と、
前記受信手段が受信したリモートコントロール信号に基づいて、キーボード用のキー操作信号を出力するキーボード信号生成手段と、
前記位置指定手段が出力する位置指定信号と、前記キーボード信号生成手段が出力するキー操作信号とを、汎用バスラインに出力させる接続手段と、
前記位置指定手段と前記受信手段と前記キーボード信号生成手段と前記接続手段とを一体に納めた筐体とを有する
入力装置。
【請求項２】
請求項１記載の入力装置において、
前記筐体の底面をほぼ平面状に構成し、上記位置指定手段は、この平面状の底面と接近又は接触した面との相対的な位置変化を検出して、二次元上の位置を指定する手段であり、
さらに、１つ又は複数のクリック操作手段を備えて、そのクリック操作手段の操作に対応した信号を、前記位置指定手段が出力する
入力装置。
【請求項３】
請求項１記載の入力装置において、
前記キーボード信号生成手段は、規定されたキー操作信号の内の限られた数のキー操作信号だけを出力する
入力装置。
【請求項４】
請求項１記載の入力装置において、
前記位置指定手段及び前記キーボード信号生成手段は、前記汎用バスラインを介して相手の機器に接続した場合に、その相手の機器側の制御手段で、それぞれポインティングデバイス及びキーボードであると認識できる機器コードを持っている
入力装置。
【発明の詳細な説明】
【０００１】
【発明の属する技術分野】
本発明は、マウスと称されるコンピュータ装置などに接続して使用されるポインティングデバイスに適用して好適な入力装置に関し、リモートコントロール装置と組み合わせて使用して好適なものに関する。
【０００２】
【従来の技術】
従来、パーソナルコンピュータ装置に、各種入力装置を接続して、使い勝手を向上させることが行われている。例えば、マウス装置と称されるポインティングデバイスを使用して、モニタ画面上でのカーソル（矢印）の表示位置を指示すること等が行われている。また、マウス装置には、２個程度のクリックボタンが配置してあり、そのクリックボタンの操作によって、カーソルで選択された機能の実行などが指示できるようにしてある。
【０００３】
マウス装置は、ケーブルを介してコンピュータ装置本体に接続させる機器であるので、そのケーブルの長さだけコンピュータ装置本体から離れた位置から操作できることになる。ところが、ケーブルの長さには限りがあり、より自由度の高い操作を可能とするために、ワイヤレス化したマウス装置が各種実用化されている。即ち、マウス装置として、操作状況に応じた信号を、赤外線信号などの無線信号によりコンピュータ装置本体に無線伝送する構成とする。このようにしたことで、無線信号が届く範囲内である限りは、コンピュータ装置本体から離れた場所で、少なくともマウス装置の操作で実行可能な機能については操作できる効果を有する。
【０００４】
ここでは、マウス装置をワイヤレス化した例について説明したが、コンピュータ装置に接続される、その他の各種入力装置についても、その接続をワイヤレス化したものが各種存在する。例えば、文字，数字などの入力を行うキーボード装置をワイヤレス化したものが存在する。
【０００５】
特許文献１は、コンピュータ装置が扱う特定のコマンドを赤外線信号として出力する指示操作装置を示したものである。
【０００６】
【特許文献１】
特開２０００−３１５１３４号公報
【０００７】
【発明が解決しようとする課題】
ところが、従来のこの種のコンピュータ装置にワイヤレスで使用される機器の場合には、コンピュータ装置側に、赤外線信号などの無線信号の受信手段が必要である問題があった。例えば赤外線信号を無線信号として使用する場合には、コンピュータ装置に、予め赤外線信号の受信部（受光部）が組み込まれている場合には、その受信部を使用できるが、赤外線信号の受信部が組み込まれていない場合には、別体の受信ユニットをコンピュータ装置に接続して使用する必要があり、それだけ、コンピュータ装置に接続する機器の数が増えてしまう問題があった。
【０００８】
また、通常は別体の受信ユニットなどをコンピュータ装置に接続する場合には、その受信ユニットを作動させたり、受信ユニットからの信号をコンピュータ装置側で処理できるようにするためソフトウェアが必要であり、そのソフトウェアをコンピュータ装置にインストールする作業を行わないと、赤外線信号を受け付けることができない問題があり、使用できるようにセッティングするのに手間と時間がかかる問題があった。
【０００９】
上述した特許文献１では、赤外線信号を受信する信号受信部を、コンピュータ装置のマウスインターフェース部又はキーボードインターフェース部に接続して、コンピュータ装置側からは、インターフェース部に接続した信号受信部が、マウス装置又はキーボード装置と見なせるようにすることで、信号受信部用のソフトウェアを不要とできる構成が記載されている。
【００１０】
ところが、マウスインターフェース部やキーボードインターフェース部は、コンピュータ装置にマウス装置やキーボード装置を接続するための専用の端子であり、この部分に赤外線信号を受信する信号受信部を接続してしまうと、本来接続させる必要のあるマウス装置やキーボード装置が、コンピュータ装置に接続できなくなってしまう問題がある。従って、特許文献１に記載された構成では、ワイヤレス信号を受信する受信部と、通常のマウス装置又はキーボード装置とを、同時にコンピュータ装置に接続できず、コンピュータ装置に接続できる周辺機器の構成が限られたものになってしまう。
【００１１】
本発明はかかる点に鑑みてなされたものであり、コンピュータ装置を遠隔制御するための構成が、少ない数の機器構成で、かつ専用のソフトウェアを必要としない構成で実現できるようにすることを目的とする。
【００１２】
【課題を解決するための手段】
本発明の入力装置は、二次元上の位置を指定する位置指定手段と、リモートコントロール信号を受信する受信手段と、受信手段が受信したリモートコントロール信号に基づいて、キーボード用のキー操作信号を出力するキーボード信号生成手段と、位置指定手段が出力する位置指定信号と、キーボード信号生成手段が出力するキー操作信号とを、汎用バスラインに出力させる接続手段と、位置指定手段と受信手段とキーボード信号生成手段と接続手段とを納めた筐体とを有するものである。
【００１３】
このように構成した入力装置を、汎用バスラインを介して例えばパーソナルコンピュータ装置に接続することで、コンピュータ装置側では、二次元上の位置を指定するポインティングデバイスとして認識されると共に、キーボードとしても認識される。従って、二次元上の位置を指定するポインティングデバイスとして使用できるだけでなく、受信手段が受信した信号に基づいたキーボード用のキー操作信号をコンピュータ装置に送る、無線信号の中継手段としても使用できるようになる。
【００１４】
【発明の実施の形態】
以下、添付図面を参照して、本発明の一実施の形態を説明する。
【００１５】
図１は、本例の入力装置を使用したシステム構成例を示した図である。本例の場合には、パーソナルコンピュータ装置１の如きデータ処理装置に接続されるマウス装置３０として、入力装置を構成してある。このマウス装置３０は、それ自身の位置の動きにより二次元上の位置を指定するポインティングデバイスとしての機能を備えるだけでなく、別体のリモートコントロール装置１０からの赤外線信号を受信して、コンピュータ装置１に送る機能をも備える。
【００１６】
本例のリモートコントロール装置１０は、赤色などのレーザ光を出力するレーザポインタと称される機器に、リモートコントロール機能を組み合わせた構成としてある。リモートコントロール装置１０は、マウス装置３０に赤外線信号を送ることで、例えばパーソナルコンピュータ装置１で表示させた画面の操作が行える。即ち、例えば図１に示したように、パーソナルコンピュータ装置１に、ケーブル２を介してプロジェクタ装置３を接続させて、パーソナルコンピュータ装置３から出力させた映像を、プロジェクタ装置３でスクリーン４に映し出して、プレゼンテーション等を行っているとする。
【００１７】
このような場合に、スクリーン４に映し出される映像の切換えを、リモートコントロール装置１０からの赤外線信号ＩＲで行うことが想定される。また、リモートコントロール装置１０が備えるレーザポインタとしての機能を利用して、赤色などのレーザ光Ｌを出力させて、スクリーン４に映し出された映像の中の特定の位置を差し示すことができるようにしてある。
【００１８】
まず、リモートコントロール装置１０の構成について説明すると、本例のリモートコントロール装置１０は、例えば図２に示すように、筒状の筐体の先端に、レーザ光発光部１１を設けて、レーザ用操作ボタン１３を押している間に、赤色などのレーザ光が出力される構成として、レーザ光で位置の指定が行えるようにしてある。
【００１９】
そして、リモートコントロール信号用操作ボタン１４，１５，１６を所定の態様で配置してあり、その３つのボタン１４，１５，１６を押した場合に、筒状の筐体の後端に配置された赤外線発光部１２から、対応した赤外線信号が出力される構成としてある。
【００２０】
図３は、本例のリモートコントロール装置１０の構成例を示したブロック図である。リモートコントロール装置１０内でレーザ光を出力させる構成と、赤外線のリモートコントロール信号を出力させる構成は、それぞれ個別の構成としてあり、電源回路２０だけを共通に使用する構成としてある。電源回路２０は、内蔵された電池２１を使用して、リモートコントロール装置１０内の各部を作動させる電源を生成させる。
【００２１】
リモートコントロール装置１０に設けられたレーザ用操作ボタン１３が押された場合には、レーザ駆動部１７でレーザ発光部１１が備えるレーザ光源の駆動信号を生成させて、レーザ発光部１１からレーザ光を出力させる。このレーザ光の出力は、例えば、操作ボタン１３が押され続けている間行うようにしてあり、ボタン１３を押すのを止めることでレーザ光の出力が停止する。
【００２２】
リモートコントロール装置１０に設けられた３つのリモートコントロール用操作ボタン１４，１５，１６が押された場合には、これらのボタン１４，１５，１６が押されたことがキー操作検出部１８で検出されて、検出信号がリモートコントロール信号送信処理部１９に送られる。送信処理部１９では、キー操作検出部１８で検出されたキー操作に対応したリモートコントロール信号を生成させて、その生成されたリモートコントロール信号を赤外線発光部１２から出力させる構成としてある。ここでは３つのボタン１４，１５，１６が用意されているので、その３つのボタンの操作に対応した３種類のリモートコントロール信号をリモートコントロール信号送信処理部１９で生成させて、その生成された３種類の内のいずれかのリモートコントロール信号を、赤外線信号として発光部１２から無線送信させるようにしてある。
【００２３】
３つのボタン１４，１５，１６は、ここではパーソナルコンピュータ装置に接続されるキーボードの３つのキーを操作した場合と同じ操作を行うためのボタンである。その３つのキーの詳細については後述する。
【００２４】
図４は、本例のマウス装置３０の構成例を示した図である。マウス装置１０は、合成樹脂などにで成形された筐体に回路部品などを収納させて構成させてあり、ケーブル３６を介してパーソナルコンピュータ装置本体（図示せず）と接続する構成としてある。この場合、ケーブル３６によるパーソナルコンピュータ装置本体との接続については、汎用バスラインを使用するようにしてある。
【００２５】
ここでは汎用バスラインとして、ＵＳＢ（Ｕｎｉｖｅｒｓａｌ  Ｓｅｒｉａｌ  Ｂｕｓ）規格のバスライン（以下単にＵＳＢと称する）を使用するようにしてある。ＵＳＢは、パーソナルコンピュータ装置に周辺機器を接続するための規格の１つであり、ＵＳＢ規格を満たした製品であれば、コンピュータ装置の１つのポートに、様々な機器を接続することができる。ここではＵＳＢの詳細説明については省略するが、ＵＳＢ規格を満たした周辺機器は、それぞれの機器の機能毎に割当てられた機器コードを持っていて、コンピュータ装置側でその機器コードを判別することで、ポートに接続された機器がどの機器であるか認識できるようにしてある。例えば、マウス装置やキーボードなどがコンピュータ装置のポートに接続された場合に、そのことがコンピュータ装置で自動的に判断できる構成としてある。また、ＵＳＢの場合には、コンピュータ装置側から周辺機器を作動させる電源の供給が可能としてあり、本例のマウス装置３０についても、バスラインを介して供給される電源で作動させるようにしてある。
【００２６】
マウス装置３０の説明に戻ると、図４に示すように、マスウ装置３０の底面３１はほぼ平面状に構成させてあり、この平面状の底面３１を、机の上などの平面部でスライドさせることで、後述する移動検出部が相対的な動きを検出して、二次元的な位置指定信号を生成させる構成としてある。また、筐体の上側の一端寄りには、左クリックボタン３２と右クリックボタン３３とローラ３４とが配置してあり、これらのボタンやローラの操作に応じた信号についても生成させる構成としてある。
【００２７】
ここまではポインティングデバイスであるマウス装置としての一般的な構成であるが、本例においては、このマウス装置１０に赤外線信号受光部３５が設けてあり、上述したリモートコントロール装置１０の赤外線発光部１２から出力させる３種類の赤外線信号を受光（受信）して、その受信信号で指示された信号を、ケーブル３６を介して接続されたパーソナルコンピュータ装置側に送る構成としてある。
【００２８】
図５は、本例のマウス装置３０の内部の構成例を示したブロック図である。マウス装置３０の底面の移動を、移動検出部４３で検出する構成としてあり、その移動検出部４３で検出した信号は、マウス回路部３７に供給するようにしてある。マウス回路部３７は、コンピュータ装置側のモニタに表示されたカーソルの二次元上の位置を指定する位置指定手段として機能するものであり、検出部４３で検出した移動量に対応した二次元上の位置を指示する位置指定信号を、マウス回路部３７で生成させるようにしてある。移動検出部４３としては、例えば、底面の移動に対応して回転するローラを設けて、そのローラの回転量を検出す機構的な構成の場合と、光学的に非接触で移動を検出する場合とがある。
【００２９】
また、左クリックボタン３２と右クリックボタン３３とローラ３４の操作状況についても、マウス回路部３７で検出されて、それぞれの操作に応じた信号を生成させるようにしてある。これらのマウス回路部３７で生成された信号は、ケーブル３６を介して接続されたコンピュータ装置側に送る構成としてある。ケーブル３６の先端には、ＵＳＢコネクタ４２が取付けてあり、このコネクタ４２を図示しないコンピュータ装置のＵＳＢポートに接続する。なお、マウス回路部３７は、ＵＳＢの規格で決められた、マウス（又はポインティングデバイス）であると認識できる機器コードが設定させてある。従って、マウス装置３０をコンピュータ装置に接続させることで、コンピュータ装置側でマウスが接続されたと自動的に認識される。
【００３０】
ケーブル３６とマウス回路部３７との間には、ＵＳＢ方式のバスラインと複数の機器（処理部）とを接続する接続手段であるＵＳＢハブ３８が設けてあり、このハブ３８でバスラインを分岐するようにしてある。ＵＳＢハブ３８で分岐されたラインには、キーボード回路部４０が接続してある。キーボード回路部４０は、赤外線受光部３５で受信した信号に基づいたキー操作信号を生成させるようにしてある。
【００３１】
即ち、赤外線受光部３５で赤外線信号を受信（受光）した場合に、その受信信号をリモートコントロール信号受信処理部３９に供給して、この受信処理部３９で信号の判別を行うようにしてある。ここでは、リモートコントロール装置１０から送信される３種類の信号の判別を、リモートコントロール信号受信処理部３９で行い、その３種類の判別信号をキーボード回路部４０に供給する。
【００３２】
キーボード回路部４０は、コンピュータ装置用のキーボードに配置された各キーが押されたときに、その押されたキーに対応したキー操作信号を出力する回路部品を使用してある。このキーボード回路部４０に、リモートコントロール信号受信処理部３９から３種類の判別信号が供給されることで、それぞれの判別信号に対応した３種類のキー操作信号が出力される構成としてある。
【００３３】
３種類のキー操作信号としては、例えばキーボードの一例を図６に示すと、一般のコンピュータ装置用のキーボード９０は、文字や数字に対応したキーの他に、矢印が表示された４つの方向指示用のキー９１，９２，９３，９４や、エンターキー９５が用意されている。ここで本例においては、例えば、４つの方向指示用のキー９１〜９４の内の下及び上の方向を示すキー９１，９２と、エンターキー９５の３つのキーを操作したときのキー操作信号を、リモートコントロール信号受信処理部３９からの３種類の判別信号に対応して出力させるようにしてある。そして、キーボード回路部４０が出力する３種類のキー操作信号は、ＵＳＢハブ３８を介してケーブル３６で接続されたコンピュータ装置側に送るようにしてある。
【００３４】
なお、キーボード回路部４０そのものは、図６に示した如きキーボードに配置された全てのキーに対応したキー操作信号が出力される構成の回路部品を使用してある。このようにすることで、キーボード用に用意された汎用の集積回路が本例のマウス装置内のキーボード回路部４０として使用可能となる。この場合、本例のようにＵＳＢ規格のバスラインに接続されるキーボード回路部４０の場合には、キーボードであると認識できる機器コードが設定させてある。従って、マウス装置３０をコンピュータ装置に接続させることで、コンピュータ装置側では既に説明したようにマウス（ポインティングデバイス）が接続されたと認識されるだけでなく、キーボードが接続されたと自動的に認識される。
【００３５】
また本例のマウス装置３０は、既に説明したように、バスラインを介して供給される電源で作動するようにしてあり、そのバスラインを介して供給される電源で作動する電源回路４１を有して、その電源回路４１で得られるた電源を、マウス装置３０内の各回路に供給する構成としてある。
【００３６】
このように構成して、例えば図１に示すようにマウス装置３０のＵＳＢコネクタ４２をコンピュータ装置１のＵＳＢポートに接続させることで、コンピュータ装置１では、マウスとキーボードの２つの周辺機器が接続されたと認識される。従って、画面上のカーソル位置を指定するポインティングデバイスとして、マウス装置３０を使用することができるだけでなく、リモートコントロール装置１０からの赤外線信号の受信に基づいてキー操作信号が伝送される機器としても使用でき、本例のマウス装置３０を用意することで、別体の赤外線信号受信ユニットを用意する必要がなくなり、それだけ周辺機器の接続構成を簡単にすることができると共に、接続時には汎用バスラインであるＵＳＢを使用して１つの機器を接続するだけで良く、接続作業に手間がかからなくなる効果を有する。
【００３７】
そして本例の場合には、その赤外線信号受信ユニットとして作動する部分が、コンピュータ装置側からは、キーボードが接続されたと認識して、キー操作信号を受け付けるだけであるので、赤外線信号受信ユニットを認識して作動させるための特別なソフトウェアをインストールする必要がなく、本例のマウス装置３０を接続するだけで、直ちにリモートコントロール装置１０が使用可能になる。
【００３８】
しかも、マウス装置３０を汎用バスラインであるＵＳＢを介して接続するだけで良いので、キーボード用の専用のインターフェース部のポートは使用する必要がなく、別途キーボードを接続する必要がある場合に、キーボード専用のポートを使用して接続することが可能になる効果を有する。
【００３９】
ここで、本例のリモートコントロール装置１０を使用した操作の例について説明すると、例えば図１に示すシステム構成で、パーソナルコンピュータ装置１に用意された複数枚の画像を順にスクリーン４に表示させるようにした場合に、リモートコントロール装置１０のリモートコントロール用操作ボタン１４（例えば図６に示したキーボードの下方向を示すキー９１に対応したボタン）を１回押すことで、スクリーン４に表示された画像が１ページ次に送られる。また、リモートコントロール装置１０の操作ボタン１５（例えば図６に示したキーボードの上方向を示すキー９２に対応したボタン）を１回押すことで、表示された画像が１ページ元に戻る。また、表示される１枚の画像内の特定部分を動かすような処理（アニメーション処理など）が可能な場合には、リモートコントロール装置１０の操作ボタン１６（例えば図６に示したキーボードのエンターキー９５に対応したボタン）を１回押すことで、その動きを開始させることが可能になる。
【００４０】
従って、本例のリモートコントロール装置１０とマウス装置３０を用意することで、画像表示などをコンピュータ装置から離れた位置から良好に遠隔制御できるようになる。
【００４１】
なお、上述した実施の形態では、リモートコントロール装置１０に配置した３つのボタン１４，１５，１６と、そのボタンの操作で出力させるキー操作信号との対応については、固定されたものとしたが、ユーザによるカスタマイズなどで自由に選べるようにしても良い。即ち、使用するソフトウェアによって、画像送りや戻しなどに使用するキーが異なる場合に、このような選択作業で、対応したキーを選ぶようにしても良い。
【００４２】
また、上述した実施の形態では、マウス装置をコンピュータ装置に接続する汎用バスラインとして、ＵＳＢ規格のものを使用したが、その他の規格の汎用バスラインを使用しても良い。例えば、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ）１３９４規格のバスラインを使用しても良い。
【００４３】
また、上述した実施の形態では、マウス装置として構成した入力装置の例について説明したが、例えば入力装置を構成する筐体の上側等に配置されたボールをユーザの操作で回転させて、二次元上の位置を指定する位置指定手段を備えたいわゆるトラックボールとして構成された入力装置に、赤外線信号の受信手段とキーボード用の信号の生成手段を内蔵させて、同様に処理が可能な構成としても良い。また、その他の構成のポインティングデバイスにも適用可能である。
【００４４】
また、上述した実施の形態では、モニタ画面をスクロールさせるローラを配置させたマウスとして構成したが、スクロール用のローラがない形状の入力装置として構成しても良い。
【００４５】
また、上述した実施の形態では、リモートコントロール装置とマウス装置との間での無線信号の伝送として、赤外線信号を使用したが、その他の無線信号を使用しても良い。例えば、ブルートゥース（Ｂｌｕｅｔｏｏｔｈ  ：商標）規格の無線伝送を行うようにして、マウス装置（入力装置）がブルートゥース規格の信号の送受信を行う構成としても良い。
【００４６】
さらに、上述した実施の形態では、リモートコントロール装置側にリモートコントロール用の３つのボタンを配置した例としたが、例えば上方向の矢印キーと下方向の矢印キーに対応した２つのボタンだけを配置しても良い。
【００４７】
【発明の効果】
本発明の入力装置は、汎用バスラインを介して例えばパーソナルコンピュータ装置に接続することで、コンピュータ装置側では、二次元上の位置を指定するポインティングデバイスとして認識されると共に、キーボードとしても認識される。従って、１個の入力装置を接続するだけで、二次元上の位置を指定するポインティングデバイスとして使用できるだけでなく、受信手段が受信した信号に基づいたキーボード用のキー操作信号をコンピュータ装置に送る、無線信号の中継手段としても使用できるようになる。
【００４８】
このため、本発明の入力装置をコンピュータ装置に接続することで、通常はマウス装置の如きポインティングデバイスとして使用可能であると共に、無線信号の受信部としても機能し、入力装置とは別に、無線信号を送信するリモートコントロール装置を用意するだけで、無線信号の受信部がないコンピュータ装置の遠隔制御が可能になる。
【図面の簡単な説明】
【図１】本発明の一実施の形態による入力装置を使用したシステム構成例を示した説明図である。
【図２】本発明の一実施の形態によるリモートコントロール装置の一例を示した斜視図である。
【図３】図２例のリモートコントロール装置の内部構成例を示したブロック図である。
【図４】本発明の一実施の形態による入力装置の一例を示した斜視図である。
【図５】図４例の入力装置の内部構成例を示したブロック図である。
【図６】キーボードの構成例を示した説明図である。
【符号の説明】
１…パーソナルコンピュータ装置、２…ケーブル、３…プロジェクタ装置、４…スクリーン、１０…リモートコントロール装置、１１…レーザ発光部、１２…赤外線発光部、１３…レーザ用操作ボタン、１４，１５，１６…リモートコントロール信号用操作ボタン、１７…レーザ駆動部、１８…キー操作検出部、１９…リモートコントロール信号送信処理部、２０…電源回路、２１…電池、３０…マウス装置、３１…筐体、３２…左クリックボタン、３３…右クリックボタン、３４…ローラ、３５…赤外線信号受光部、３６…ケーブル、３７…マウス回路部、３８…ＵＳＢハブ、３９…リモートコントロール信号受信処理部、４０…キーボード回路部、４１…電源回路、４２…ＵＳＢコネクタ
【図１】
2004246721.tif 000003
【図２】
2004246721.tif 000004
【図３】
2004246721.tif 000005
【図４】
2004246721.tif 000006
【図５】
2004246721.tif 000007
【図６】
2004246721.tif 000008